(57)【要約】  本発明は、薬剤注入装置（２）に関する。注入した薬剤が患者内で分注され、注入された薬剤が針の刺し傷を介して抜け出してしまい、所望したほど分注されなくなる危険性を低減できるように、薬剤の注入の後で針ユニット（１２）を患者から引き抜く前に、しばらく待つことが望ましい。患者が投与量を自分で決めて投与する装置を使用する場合に、この問題は顕著であり、この待ち時間が使用者に表示される場合には、この待ち時間は注入する投与量に関係なく設定される。患者は投与量が少ない場合には、全待ち時間の間中、体内に針ユニット（１２）を保持しておく必要がないと感じ、この場合には待ち時間を適切に経過させないことがある。薬剤注入装置（２）が開示されており、プロセッサ（６）によって作動する信号手段（１６、１８）は、注入操作の完了から経過時間が所定時間に達したことの信号を出力し、経過した所定時間は注入する薬剤の量によって決まる。これは、使用者に、各投与量に対応する待ち時間が重要であり、考慮しなければならないものであることを確信させる利点がある。
2005514119.tif 000002
【特許請求の範囲】
【請求項１】
或る量の薬剤を注入する注入操作を実施するための注入装置と、前記注入操作の完了から経過した時間を計算するための計時手段と、プロセッサと、前記注入操作の完了からの経過時間が所定期間に達したことの信号を出力するための前記プロセッサにより作動される信号手段とを具備する薬剤注入装置であって、前記経過時間の前記所定期間は前記注入された薬剤の量によって決まることを特徴とする薬剤注入装置。
【請求項２】
前記経過時間の前記所定期間は、注入された前記薬剤の量に比例することを特徴とする請求項１に記載の薬剤注入装置。
【請求項３】
前記経過時間の前記所定期間は、注入された前記薬剤の数種の異なった量に対応する複数の所定値のうちの一つであることを特徴とする請求項１に記載の薬剤注入装置。
【請求項４】
実質的には詳細な説明において関連して説明され、添付図面に例示された薬剤供給装置。
【発明の詳細な説明】
【技術分野】
【０００１】
本発明は、薬剤注入装置に関する。特に、本発明は電子的に制御された薬剤注入装置に関するものであるが、これに限定されるものではない。典型的には、薬剤注入装置は、交換可能な薬剤カートリッジを保持する手段と、薬剤カートリッジを貫通して薬剤を薬剤カートリッジから放出する針ユニットと、薬剤カートリッジ内にピストンを移動させて薬剤を放出する手段とを具備する。
【背景技術】
【０００２】
薬剤を患者へ注入した後で、患者の身体から針ユニットを引き抜く前に、しばらく待つのが望ましい。これは、注入した薬剤が患者の体内の注入個所から局部に分注するためには数秒間の時間がかかるためである。薬剤が注入された後で、針ユニットを引き抜くのが早過ぎると、少なくとも注入された薬剤の一部が針の刺し傷を介して抜け出してしまう場合があり、所望したほど患者内で分注されない危険がある。
【発明の開示】
【発明が解決しようとする課題】
【０００３】
あいにく、患者が薬剤を自己投与するために薬剤注入装置を使用する場合に、特にこの問題が顕著に現れる。使用者は待ちきれなくなり、薬剤が分注してしまう前に針を引き抜いてしまう場合がある。
【０００４】
例えば、公知の薬剤供給装置において表示又は音声により、この待ち時間が使用者に表示される場合には、注入される薬剤の投与量の大小とは関係なく、待ち時間が設定される。投与量が少ない場合には、使用者は、全待ち時間の間中、患者の体内に針ユニットを残しておくのは重要でないと感じる場合がある。あいにく、待ち時間は重要でないと思い込み、使用者は待ち時間の経過が待ちきれなくなる場合がよく起こる。
【０００５】
本発明はこの問題を緩和しようとすることに利点がある。
【課題を解決するための手段】
【０００６】
本発明によれば、薬剤注入装置は、或る量の薬剤を注入する注入操作を実施するための注入装置と、注入操作の完了から経過した時間を計算するための計時手段と、プロセッサと、注入操作の完了からの経過時間が所定期間に達したことの信号を出力するためのプロセッサによって作動される信号手段とを具備し、経過時間の所定期間は注入された薬剤の量によって決まるようにされている。
【０００７】
これには、各投与量に応じた待ち時間は重要であり、考慮しなければならないことを使用者に確信させる利点がある。
【０００８】
好ましくは、経過時間の所定期間は注入された薬剤の量に比例する。
【０００９】
この代わりに、経過時間の所定期間は、注入され薬剤の数種の異なった量に対応する複数の所定値のうちの一つである。
【発明を実施するための最良の形態】
【００１０】
以下では、実施例のみに基づいて、添付図面を参照しながら本発明を説明する。図１は、本発明に係る薬剤注入装置の概略図である。
【００１１】
図面を参照すると、本発明に係る薬剤注入装置の概略構成が開示されている。薬剤注入装置２は、ハウジング４と、制御ユニット又はマイクロプロセッサ６と、駆動手段８と、ピストン１０と、針ユニット１２とを具備する。制御ユニット又はマイクロプロセッサ６はそれらに対応したタイマーを有している。薬剤注入装置２は、さらにディスプレイ１６及び／又は音声発生装置１８を含んでいてもよい。例示の実施形態ではこの両方を示している。音声発生装置１８は、簡略トーン発生装置又は音声合成装置を含んでいると都合がよい。
【００１２】
薬剤カートリッジ１４は、好ましくは交換可能であり、ピストン１０と針ユニット１２の間で、薬剤注入装置内に配置される。薬剤カートリッジ１４は、針ユニット１２によって貫通されるように構成された第一の端部での閉塞部材と、薬剤カートリッジ１４の第二の端部に向かって配置され、薬剤カートリッジ１４の第一の端部に向かってピストン１０のストロークによって駆動されるように構成された可動プランジャ（図示なし）とを含む。
【００１３】
使用時には、注入される薬剤の投与量が設定され、針ユニットは患者の適当な箇所に挿入される。この時、駆動手段８が作動して、ピストン１０を駆動する。駆動手段８は機械的に作動しても、制御ユニット又はマイクロプロセッサ６の制御により作動してもよい。この時、薬剤カートリッジ１４内部からの薬剤は薬剤注入装置２から放出される。
【００１４】
ここで、タイマーは注入ストロークの完了から経過する時間を計算する。注入ストロークの完了から所定時間が経過すると、信号手段、例えば、ディスプレイ１６、音声発生装置１８もしくはその両方がマイクロプロセッサ６の制御により作動して、信号を使用者に出力する。ここで、薬剤は充分な時間をかけて分注しているので、使用者は針ユニット１２を抜いてもよいことが分かる。
【００１５】
前記所定時間は、注入するために選定された薬剤の量によって決まる。前記所定時間の値は、所定の関数関係に従い、マイクロプロセッサ６によって計算してもよい。この代わりに、マイクロプロセッサ６を、例えば早見表により、薬剤注入装置２によって注入される薬剤の可能量に対応した所定時間（分注時間）の所定値データでプログラムしてもよい。
【図面の簡単な説明】
【００１６】
【図１】図１は、本発明に係る薬剤注入装置の概略図である。
【図１】
2005514119.tif 000003
【国際調査報告】
2005514119.tif 000004
2005514119.tif 000005
2005514119.tif 000006
2005514119.tif 000007
2005514119.tif 000008